(57)【要約】【課題】脱臭性能の低下を抑制してメンテナンス性を向上させた可搬便器を提供する。【解決手段】上方に開口した収納部８を内側に有する便器外殻３と、収納部８に脱着自在で収納される汚物受けと、便器外殻３の上部に配置される便座と、収納部８に収納され前記汚物受けに連通した脱臭器４０とを備えた可搬便器であって、汚物受けは、収納部８の上端縁に外縁を当接して便器外殻３に保持される平面視枠状の防汚トレイ１７を備え、この防汚トレイ１７が後辺部１７ａに脱臭器４０連通用の開口部を有し、脱臭器４０は、脱臭部を有した機器本体４１と、機器本体４１を前記開口部に連通接続させるための接続部材４２とを備え、この接続部材４２は、便器外殻３の内面に固定されて防汚トレイ１７を気密状態で当接して前記開口部に連通するアダプター４３を備える。【選択図】図１
2014064601.tif 000002
【特許請求の範囲】
【請求項１】
上方に開口した収納部を内側に有する便器外殻と、この収納部に脱着自在で収納される汚物受けと、前記便器外殻の上部に配置される便座と、前記収納部に収納され前記汚物受けに連通した脱臭器とを備え、
前記汚物受けは、前記収納部の上端縁に外縁を当接して前記便器外殻に保持される平面視枠状の防汚トレイを備え、この防汚トレイが後辺部に脱臭器連通用の開口部を有し、
前記脱臭器は、脱臭部を有した機器本体と、この機器本体を前記開口部に連通接続させるための接続部材とを備え、
この接続部材は、前記便器外殻の内面に固定されて前記防汚トレイを気密状態で当接して前記開口部に連通するアダプターを備えるものであることを特徴とする可搬便器。
【請求項２】
前記開口部の縁部と、この縁部に当接される前記アダプターの端縁との間に、気密部材を介在させて、前記防汚トレイを前記アダプターに当接するものであることを特徴とする請求項１に記載の可搬便器。
【請求項３】
前記収納部に対する前記防汚トレイの取付位置を規定する位置決め部をさらに備え、
この位置決め部は、前記収納部の上縁部と前記防汚トレイの外縁とのうちの一方に設けられ残りの一方側に向けて突出する突起と、この残りの一方の前記突起に対応する部位に設けられこの突起が嵌り込む穴とを備えるものであることを特徴とする請求項１又は２に記載の可搬便器。
【請求項４】
前記アダプターを第１アダプターとし、
前記接続部材は、前記第１アダプターの下流側に連通接続した接続管と、この接続管を前記機器本体に脱着自在で連通接続させる第２アダプターとをさらに備え、
この第２アダプターは、前記接続管の下流端と前記機器本体の上流端のうちの一方に設けられた外筒と、残りの一方に設けられ前記外筒の内側に取り付けられてこの外筒に脱着自在で連通接続される内筒とを備え、
この内筒の内側に、前記機器本体への異物の流入を抑制するフィルターと、このフィルターを保持する保持部とを設けてなるものであることを特徴とする請求項１乃至３のいずれか一項に記載の可搬便器。
【発明の詳細な説明】
【技術分野】
【０００１】
本発明は、設置位置を容易に変更可能な可搬便器に関する。
【背景技術】
【０００２】
従来から、設置位置を容易に変更可能な可搬便器は、老人、身体障害者、病人等の介護に用いられており、例えば特許文献１に示す家具調ポータブルトイレがある。
【０００３】
この家具調ポータブルトイレでは、脚部材を有する周壁からなる座部と、汚物ポットを支持可能な便座受けと、便座受けに支持可能な便座と、吸引ファンを有する脱臭器とで構成される。前記便座受けには吸入口が形成されている。そして、この便座受けは裏面に接続部材が固定してあり、この接続部材は前記吸入口に連通している。そして、この接続部材には吸入ホースが取り付けてあり、この吸入ホースを介して前記吸入口を脱臭器に連通接続させている。この脱臭器は、前記周壁の内面に固定してあり、前記吸入口から空気を吸入すると共に、吸入した空気の脱臭を行う。このため、この家具調ポータブルトイレでは、使用時等に汚物ポット等で生じる臭気を脱臭することができる。
【先行技術文献】
【特許文献】
【０００４】
【特許文献１】特開２００５−３０４６９４号公報
【発明の概要】
【発明が解決しようとする課題】
【０００５】
ところで、この特許文献１の家具調ポータブルトイレでは、接続部材を便座受けに固定することで、吸入口の縁部と接続部材との間を気密状態にしている。このため、便座受けの清掃時や脱臭器のフィルター清掃時等のメンテナンス時には、接続部材を伴って便座受けを座部から取り外したり、吸入ホースを挟まないように便座受けを座部に取り付けたり等している。そして、このものでは、接続部材や吸入ホースが便座受けの清掃を妨げたり、洗浄水の一部が清掃後も吸入ホースに残留して脱臭器の性能を低下させたり等することがある。このように、従来の家具調ポータブルトイレでは、清掃等のメンテナンス等の作業が行い難いという問題がある。
【０００６】
本発明は前記事情に鑑みてなされたものであって、脱臭器を便座受けの開口部に気密状態で連通可能で且つ便座受けや脱臭器のメンテナンス等の作業を行い易くした可搬便器を提供することを課題とする。
【課題を解決するための手段】
【０００７】
前記課題を解決するために本発明は、上方に開口した収納部を内側に有する便器外殻と、この収納部に脱着自在で収納される汚物受けと、前記便器外殻の上部に配置される便座と、前記収納部に収納され前記汚物受けに連通した脱臭器とを備え、前記汚物受けは、前記収納部の上端縁に外縁を当接して前記便器外殻に保持される平面視枠状の防汚トレイを備え、この防汚トレイが後辺部に脱臭器連通用の開口部を有し、前記脱臭器は、脱臭部を有した機器本体と、この機器本体を前記開口部に連通接続させるための接続部材とを備え、この接続部材は、前記便器外殻の内面に固定されて前記防汚トレイを気密状態で当接して前記開口部に連通するアダプターを備えるものであることを特徴とする。
【０００８】
また、本発明は、前記開口部の縁部と、この縁部に当接される前記アダプターの端縁との間に、気密部材を介在させて、前記防汚トレイを前記アダプターに当接するものであることが好ましい。
【０００９】
また、本発明は、前記収納部に対する前記防汚トレイの取付位置を規定する位置決め部をさらに備え、この位置決め部は、前記収納部の上縁部と前記防汚トレイの外縁とのうちの一方に設けられ残りの一方側に向けて突出する突起と、この残りの一方の前記突起に対応する部位に設けられこの突起が嵌り込む穴とを備えるものであることが好ましい。
【００１０】
また、本発明は、前記アダプターを第１アダプターとし、前記接続部材は、前記第１アダプターの下流側に連通接続した接続管と、この接続管を前記機器本体に脱着自在で連通接続させる第２アダプターとをさらに備え、この第２アダプターは、前記接続管の下流端と前記機器本体の上流端のうちの一方に設けられた外筒と、残りの一方に設けられ前記外筒の内側に取り付けられてこの外筒に脱着自在で連通接続される内筒とを備え、この内筒の内側に、前記機器本体への異物の流入を抑制するフィルターと、このフィルターを保持する保持部とを設けてなるものであることが好ましい。
【発明の効果】
【００１１】
本発明は、アダプターを防汚トレイ（汚物受け）に対して非固定としたことで、接続部材を伴わずに防汚トレイや汚物受けを便器外殻から取り外したり取り付けたりすることができる。このため、本発明は、防汚トレイの便器外殻に対する脱着時における接続部材の便器外殻や防汚トレイへの干渉や、接続部材による防汚トレイ清掃の妨害等を生じ難くすることができる。これによって、本発明は、前記脱着や清掃等のメンテナンスにおける作業を行い易くすることができる。
【図面の簡単な説明】
【００１２】
【図１】可搬便器の脱臭器周辺の斜視図である。
【図２】可搬便器の斜視図である。
【図３】可搬便器の側断面図である。
【図４】可搬便器の平面図を示し、（ａ）が便座及び便蓋及び便容器を取り外した状態であり、（ｂ）が汚物受けを取り外した状態である。
【図５】防汚容器の斜視図である。
【図６】外筒を示し、（ａ）が第２端側から視た図であり、（ｂ）が軸方向に沿って切断した図である。
【図７】内筒を示し、（ａ）が斜視図であり、（ｂ）が機器本体に取り付けた状態で軸方向に沿って切断した図である。
【図８】機器本体の断面図である。
【発明を実施するための形態】
【００１３】
以下、本発明を添付図面に基づいて説明する。本実施形態の可搬便器１は、設置位置を容易に変更することができる。このため、可搬便器１は、老人、身体障害者、病人等の利用者が利用する介護用の便器に好適に用いられる。可搬便器１は、図１に示すように、着座して利用される便器本体２と、利用時に生じる臭気を脱臭する脱臭器４０とを備える。
【００１４】
便器本体２は、図２に示されるように、平面視矩形状の便器外殻３と、便座１１及び便蓋１２と、便器外殻３の内側に配置される汚物受け１４とを備える。便座１１及び便蓋１２は、便器外殻３の後端部に左右軸回りに回動自在に連結される。なお、この左右軸回りとは、回転軸方向が左右方向と平行であることを意味する。以下、便座１１に着座した利用者を基準に、利用者の腹側を前方とし、背中側を後方とし、右腕側を右側とし、左腕側を左側とする。
【００１５】
便器本体２は、便器外殻３から下方に突出した脚部２０と、便器外殻３の後端部に立設される背もたれ２４と、便器外殻３の左右両側上方に配置される肘掛け２７とを備える。このため、便器本体２は、所謂椅子型の便器になっている。そして、便器本体２は、便器外殻３、脚部２０、背もたれ２４のフレーム２５、肘掛け２７等が例えば木質材で形成してあり、所謂家具調の可搬便器１になっている。なお、汚物受け１４は、例えば合成樹脂で形成してある。
【００１６】
便器外殻３は、図３，４に示すように、略箱状になっており、左右両側の側板４と、両側板４の前端間に架設した前板５と、両側板４の後端間に架設した後板６と、汚物受け１４を支持する天板７とを備える。
【００１７】
便器外殻３は、汚物受け１４を配置・収納する収納部８を有する。収納部８は、両側板４と前板５と後板６とで囲まれた空間（箱の内部）で形成してある。収納部８は、上下方向に貫通した平面視矩形枠状になっており、上方の開口を介して汚物受け１４が出し入れされる。更に、後板６は、側面視階段状に形成してあり、下部が上部に比べて後方に位置する。このため、収納部８は、後方下部に凹所８ａを有した形状になっている。
【００１８】
天板７は、平面視矩形枠状の板部材で形成してある。天板７は、板面を上下方向に向けた姿勢で、前記箱の内部上方に配置してある。天板７は、平面視における外周端が両側板４及び後板６の箱内面上部に当接固定してあり、下面の前部（前辺部の下面）が前板５の上端に当接固定してある。天板７は上面に汚物受け１４が当接される。これによって、天板７はこの上面で汚物受け１４を支持する。このため、天板７は、収納部８の上方開口の縁部（上端縁）として機能している。
【００１９】
また、天板７は、図４に示すように、後辺部７ａ（後端部）の左右方向の略中央に、間隙７１が設けてある。間隙７１は、前後方向及び左右方向において後辺部７ａの全長に亘って開口しており、後辺部７ａを右側の部位（第１部位）と左側の部位（第２部位）とに分断している。このため、天板７は、平面視矩形Ｃ字の略枠状になっている。そして、間隙７１は、左右方向において、後辺部７ａの全長（両側板４の内面の間の距離）の略中央から前記第１部位に至るまでの寸法と前記略中央から前記第２部位に至るまでの寸法とが略同寸になっている。
【００２０】
後辺部７ａは、前記第１部位及び前記第２部位の上面の間隙７１近傍に、穴３６が設けてある。言い換えると、穴３６は、収納部８の上縁部の後端部（後辺部）の間隙７１近傍に設けてある。そして、穴３６は上方に開口して形成してあり、例えば上下方向に貫通した貫通孔になっている。なお、穴３６は、貫通孔に限らず、上面から下方に凹んだ凹みであってもよい。
【００２１】
両穴３６（左右計二つの穴３６）は、左右方向に沿って並んで位置する。そして、後辺部７ａの前記略中央から各穴３６までの距離は、略同寸になっている。言い換えると、前記二つの穴３６は、後板６の前記略中央を基準に、左右方向において同じ距離離れた位置に夫々設けてある。そして、この二つの穴３６の間の距離は、間隙７１の左右方向の寸法より大寸になっている。なお、穴３６の機能の詳細な説明は、後述する。
【００２２】
図２に示すように、両側板４の内面には夫々、脚部２０が取り付けてある。便器外殻３は脚部２０を介して床上に配置される。便器外殻３は脚部２０に対して高さ調節自在に取り付けてある。これによって、可搬便器１は、便器外殻３の高さを調節することができる。また、脚部２０は、図３，４に示すように、後端部にキャスター２１が設けてある。これによって、可搬便器１は床上を走行して移動することができる。
【００２３】
図２，３に示すように、両側板４の後端部には夫々、上方に突出した突出片９が設けてある。突出片９間には、クッション体２５が取り付けてある。このため、突出片９及びクッション体２５が、可搬便器１の背もたれ２４になっている。そして、突出片９は背もたれ２４のフレーム２５として機能する。言い換えると、背もたれ２４は、便器外殻３の側板４と一体でフレーム２５が形成してある。
【００２４】
肘掛け２７は、図２，４に示すように、肘を載せる肘載せ部２８と、肘載せ部２８を下方から支持する柱部２９とを備え、側面視略Ｔ字状になっている。肘載せ部２８は、上下方向に板面を有した板状になっており、後端がフレーム２５に脱着自在で取り付けてある。また、肘載せ部２８は、下面の前部に柱部２９の上端が固定してある。
【００２５】
柱部２９は、図２に示すように、上下方向に長尺な板状部材で形成してある。柱部２９は、板面を左右方向に向けて、便器外殻３の左右の外側に配置される。このとき、柱部２９は、板面下部を側板４の外面（便器外殻３の外側面）に当接した状態で、側板４に脱着自在で取り付けられる。そして、肘掛け２７は、柱部２９の側板４への取付位置を変更することで、肘載せ部２８の高さを変更することができる。言い換えると、肘掛け２７は、便器外殻３に高さ調節自在に取り付けてある。
【００２６】
汚物受け１４は、図３に示されるように、屎尿を受ける便容器（不図示）と、収納部８の上端縁に外縁を当接して便器外殻２に保持される防汚容器１５とを備える。そして、汚物受け１４は、防汚容器１５内に前記便容器が収納される。このため、汚物受け１４は、二重容器になっている。
【００２７】
前記便容器は、上方に開口した容器形状になっている。この便容器は、上端部から平面視外方に突出してフランジ片を有する。前記便容器は、このフランジ片を防汚容器１５に載置することで、防汚容器１５内に取り付けられる。以下、このフランジ片を被載置片と記載する。
【００２８】
防汚容器１５は、図５に示すように、上方に開口した容器部１６と、容器部１６の上方開口に連通する貫通孔を略中央に有した板状の防汚トレイ１７とを備える。防汚容器１５は、例えば樹脂製になっており、容器部１６と防汚トレイ１７とが一体に形成してある。防汚トレイ１７は、容器部１６の上端部の略全周に亘って形成してあり、平面視枠状になっている。
【００２９】
このため、防汚容器１５は、上端にフランジを有した容器形状になっている。言い換えると、防汚容器１５は、防汚トレイ１７の前記貫通孔の縁部（内端部の内縁）が、容器部１６の上端部に接続してある。
【００３０】
容器部１６は内部に前記便容器が配置収納される。このとき、防汚容器１５は、この便容器の被載置片が、防汚トレイ１７の内端部に載置される。言い換えると、防汚トレイ１７は、内端部が、前記被載置片を載置する載置部３１になっている。これによって、この便容器は、防汚容器１５に支持される。
【００３１】
そして、防汚トレイ１７は、図３乃至５に示すように、載置部３１外縁に壁部３２が設けてある。壁部３２は、載置部３１外縁の全周に亘って形成してある。そして、壁部３２は載置部３１外縁から上方に立ち上がって設けてある。壁部３２の上端には、便座受け３３が設けてある。便座受け３３は、壁部３２上端の全周に亘って形成してある。そして、便座受け３３は、壁部３２から平面視外方に突出して設けてある。このため、便座受け３３は、平面視矩形の枠状になっている。そして、便座受け３３は、上面に便器１１が載置される。
【００３２】
このように、防汚トレイ１７は、内端部が載置部３１になっており、外端部が便座受け３３になっている。そして、防汚トレイ１７は、載置部３１と便座受け３３との間に壁部３２を有するため、断面階段状になっており、載置部３１の載置面（上面）が便座受け３３の上面より下方に位置する。
【００３３】
また、便座受け３３は、図３に示すように、下面が天板７に載置される。これによって、防汚トレイ１７（防汚容器１５）は便器外殻３に支持される。このため、前記便容器は、防汚容器１５を介して便器外殻３に支持される。そして、便座受け３３は、図５に示すように、矩形枠状の四辺のうち、後辺部の下面（裏面）に突起３５が設けてある。言い換えると、防汚トレイ１７は、後辺部１７ａの外縁に、突起３５が設けてある。
【００３４】
突起３５は、左右方向に間隔をおいて二つ並んで形成してある。平面視において、右側の突起３５は右側の穴３６と重なって位置し、左側の突起３５は左側の穴３６と重なって位置する。言い換えると、突起３５の並ぶ前記間隔は、穴３６の並ぶ前記間隔と略同寸になっている。そして、突起３５の前記間隔の左右方向の略中央が、穴３６の前記間隔の左右方向の略中央と平面視において重なって位置する。
【００３５】
便座受け３３は、突起３５を穴３６に嵌め込むことで、位置決めして下面を天板７に当接することができる。言い換えると、可搬便器１は、突起３５を穴３６に嵌め込み便座受け３３の下面を天板７に当接することで、防汚トレイ１７（防汚容器１５）を位置決めして天板７に支持させることができる。このため、突起３５及び穴３６は、防汚容器１５を天板７に支持させる際に、位置決め部として機能する。
【００３６】
また、防汚トレイ１７は、図３に示すように、天板７の後辺部７ａ側に当接される後端部（後辺部１７ａ）に、開口部１８が設けてある。開口部１８は、防汚トレイ１７の後辺部１７ａの左右方向の略中央に設けてある。
【００３７】
具体的には、開口部１８が、便座受け３３の後辺部の前端部で上方及び前方に開口しており、壁部３２で上下方向の略全長に亘って前方に開口している。そして、開口部１８は、便座受け３３側の開口部位と壁部３２側の開口部位とが連通している。言い換えると、開口部１８は、防汚トレイ１７の後辺部１７ａのうち、便座受け３３の前端部から壁部３２に跨って設けてある。
【００３８】
更に、開口部１８は、図４に示すように、左右方向において、便座受け３３及び壁部３２の略中央に設けてある。そして、開口部１８は、左右方向において、間隙７１に比べて小寸で所定の幅を有する。このため、開口部１８は、正面視において間隙７１内に位置する。
【００３９】
脱臭器４０は、図３に示すように、開口部１８に接続してあり、開口部１８を介して汚物受け１４内の臭気（空気）を吸入する。これによって、脱臭器４０は汚物受け１４内を脱臭する。脱臭器４０は、収納部８の容器部１６より後方側の空間に収納してある。言い換えると、脱臭器４０は、収納部８において、容器部１６の背面と後板６との間の空間に配置される。
【００４０】
そして、脱臭器４０は、図１に示すように、前記臭気を脱臭する機器本体４１と、機器本体４１を連通接続した接続部材４２とを備える。脱臭器４０は、接続部材４２を介して機器本体４１が開口部１８に連通接続してある。接続部材４２は、開口部１８に接続する第１アダプター４３（アダプター４３）と、第１アダプター４３に接続した接続管４６と、接続管４６を機器本体４１に接続する第２アダプター４７とを備える。
【００４１】
第１アダプター４３は、左右方向に略対向して設けた二つの側壁と、両側壁の後端間に架設した後壁と、両側壁の前端間に架設した前壁と、両側壁及び後壁及び前壁で囲まれた空間の下端を塞ぐ底部とを備える。このため、第１アダプター４３は、平面視矩形の箱状になっている。言い換えると、第１アダプター４３は、矩形の箱体４４で形成してある。
【００４２】
箱体４４は、前壁の上部及び箱の天井が開口している。そして、箱体４４は、開口縁の略全体に亘って、気密部材（不図示）が設けてある。具体的には、この気密部材が、前壁の上端、この上端より上部に位置する側壁の前端（前端上部）、側壁の上端、後壁の上端の略全体に亘って設けてある。そして、この気密部材としては、例えばテープ状のパッキンになっており、例えば接着等で箱体４４の前記開口縁に固定してある。
【００４３】
箱体４４は、平面視において、後壁及び両側壁の前壁より上部側の部位が間隙７１内に配置してあり、この部位は間隙７１の略中央に位置する。そして、箱体４４は、開口の左右方向及び前後方向の寸法が夫々、開口部１８の対応する方向における寸法より大きい寸法になっている。なお、箱体４４の前記開口の寸法は、開口部１８の前記寸法と略同じ寸法であってもよい。
【００４４】
箱体４４は、側壁に夫々被固定片が設けてある。被固定片は、各側壁の後端部から後板６に沿って左右方向の外側に突出して形成してある。そして、箱体４４は、被固定片を介してビスやねじ等の固定具で後板６に固定される。このとき、箱体４４は、後壁の後面を後板６の内面に当接した状態で取り付けられる。
【００４５】
箱体４４は、この状態で、側壁及び後壁の上端（又はこの上端を覆う前記気密部材の上面）が、天板７の後辺部７ａの上面と略面一となる高さに位置する。そして、箱体４４は、この状態で、側壁の前端上部（又はこの前端を覆う前記気密部材の前面）が、天板７の後辺部７ａの前端面と略面一或いはこの前端面より前方に位置する。
【００４６】
このため、天板７に防汚容器１５を取り付けた場合には、平面視において、後壁が便座受け３３の後部（開口部１８より後方側の部位）の下方に位置し、前壁が載置部３１の下方に位置する。そして、この場合には、両側壁が便座受け３３の開口部１８の縁部と突起３５との間に位置する。言い換えると、前記場合には、平面視において、第１アダプター４３の前記開口の内側に開口部１８が位置する。
【００４７】
更に、天板７に防汚容器１５を取り付けることで、第１アダプター４３は箱体４４の前記開口縁が前記気密部材を介して防汚トレイ１７の裏面に当接される。詳しくは、箱体４４の両側壁及び後壁の上端が便座受け３３の下面に前記気密部材を介在して当接され、両側壁の前端上部が壁部３２の後面に当接され、前壁の上端が載置部３１の下面に当接される。これによって、第１アダプター４３は、箱体４４の内部空間が開口部１８（汚物受け１４内）と気密状態で連通する。
【００４８】
また、左側の側壁には、図１に示すように、エルボ部材４５が設けてある。言い換えると、第１アダプター４３は、エルボ部材４５をさらに備える。エルボ部材４５は、上流端が箱体４４内に開口しており、箱体４４の内部空間に連通している。そして、エルボ部材４５は下流側に接続管４６が取り付けてある。これによって、第１アダプター４３は、エルボ部材４５を接続管４６に連通接続することができる。言い換えると、第１アダプター４３は、エルボ部材４５を介して箱体４４と接続管４６とを連通接続することができる。
【００４９】
接続管４６は、例えば蛇腹状等のフレシキブルな管部材で形成してある。そして、接続管４６は、エルボ部材４５との接続部位から下方に伸びた後、一旦上がってから下方に伸びており、横倒しのＳ字状に屈曲させて配置してある。また、接続管４６は、前記一旦上がってから下方に伸びた下端部に第２アダプター４７が取り付けてある。
【００５０】
このため、接続管４６は、エルボ部材４５に取り付けた側（前記接続部位）が上流端になっており、第２アダプター４７に取り付けた側が下流端になっている。そして、接続管４６は、平面視において、箱体４４の左側外方に上流端が位置し、箱体４４の右側外方に下流端が位置する。
【００５１】
第２アダプター４７は、収納部８の凹所８ａ右側に配置される。そして、第２アダプター４７は、接続管４６の下流端に取り付けた断面円形状の外筒４９と、機器本体４１の上流端に取り付けた断面円形状の内筒４８とを備える。
【００５２】
内筒４８は、図７に示すように、円筒形状に形成してあり、例えば樹脂製になっている。内筒４８は軸方向の一端（第１端４８ａ）が、自由端になっている。第１端４８ａは、内筒４８内部を外筒４９内部に連通させるための上流端になっている。そして、内筒４８は、反対側の一端（第２端）が、機器本体４１の外殻４１ａ（詳細は後述する）に接着等で固定してある。そして、内筒４８は、この第２端を介して内筒４８内部と機器本体４１内部とが連通接続している。
【００５３】
外筒４９は、図６に示すように、円筒形状に形成してあり、例えば樹脂製になっている。そして、外筒４９は筒の一端（第１端）側が接続管４６の下流端に固定してあり、接続管４６内部と外筒４９内部とが連通接続してある。このため、外筒４９は、この第１端が上流端になっている。外筒４９は、この第１端側の部位が、上流側に向かう程狭まる略円錐形状になっており、この第１端がエルボ部材４５と略同じ直径になっている。
【００５４】
また、外筒４９は、円筒状の部位の内径が、内筒４８の外径より若干大きい或いは略同じになっている。そして、外筒４９は、円筒の第１端とは反対側の一端（第２端４９ａ）が自由端になっている。このため、外筒４９は、第２端４９ａ側から円筒状の部位の内側（内周側）に、内筒４８を略同心で挿入配置することができる。これによって、脱臭器４０は、外筒４９と内筒４８とを連通接続することができて、接続管４６と機器本体４１とが連通接続される。
【００５５】
そして、外筒４９は、内側に内筒４８を配置することで、例えば外筒４９の内周面に内筒４８の外周面が当接或いは近接する等で、外筒４９と内筒４８とを脱着自在で嵌め合せた状態にすることができる。更に、この嵌め合せた状態では、外筒４９の内周面と内筒４８の外周面との間に気密部材を介在させなくても、この間が略気密状態となる。
【００５６】
また、第２アダプター４７は、外筒４９と内筒４８とを嵌め合せた状態（嵌着させた状態）に保持する保持構造をさらに備える。保持構造は、凸部５０と凸部５０に嵌り合う凹部５１とで形成してあり、外筒４９の内周面と内筒４８の外周面のうち、一方に凸部５０が設けてあり、残りの一方に凹部５１が設けてある。
【００５７】
例えば本例では、図６に示すように、外筒４９の内周面に凸部５０が設けてあり、図７に示すように、内筒４８の外周面に凹部５１が設けてある。凸部５０は、外筒４９の第２端４９ａ近傍に設けてある。そして、凸部５０は、径内方向に突出して形成してある。凹部５１は、内筒４８の第１端４８ａ近傍に設けてある。そして、凹部５１は、径外方向に凹んで形成してあり、凸部５０と嵌り合う形状になっている。
【００５８】
更に、内筒４８の外周面には、外筒４９と内筒４８とを嵌め合せる際に、凸部５０を凹部５１にガイドするための溝部５２が設けてある。溝部５２は径内方向に凹んだ形状になっており、軸方向に沿って長尺に形成してある。そして、溝部５２は軸方向の一端が第１端４８ａに開口しており、反対側の一端側が内筒４８の円周方向において凹部５１に連通している。
【００５９】
このため、第２アダプター４７は、凸部５０を溝部５２に配置して、外筒４９を内筒４８に対して軸方向に相対移動させる。そして、第２アダプター４７は、凸部５０が溝部５２の前記反対側の一端に達すると、外筒４９を内筒４８に対してその円周方向に相対移動させて、凸部５０と凹部５１とを嵌め合せる。これによって、第２アダプター４７は、外筒４９の内筒４８に対する軸方向の相対移動を規制して、外筒４９と内筒４８とを嵌着させた状態にすることができる。
【００６０】
更に、第２アダプター４７は、前記嵌着させた状態で、外筒４９を内筒４８に対してその円周方向に相対移動させて、凸部５０を溝部５２に位置させることで、外筒４９を内筒４８に対して軸方向に相対移動可能にすることができる。なお、本例では、接続管４６をフレキシブルな部材で形成したことで、前記相対移動を行うにあたって、後板６に機器本体４１を介して固定される内筒４８に比べて、外筒４９側を動かし易くしてある。
【００６１】
また、本例では、凸部５０及び凹部５１（及び溝部５２）が、第２アダプター４７に二つ設けてある。外筒４９は、内周面の直径に沿った所定の直線との二つの交点位置に夫々凸部５０が設けてある。内筒４８は、外周面の直線に沿った所定の直線との二つの交点位置に夫々凹部５１が設けてある。このように、凸部５０及び凹部５１を二つ以上（複数）設ける場合には、凸部５０間（凹部５１間）の円周方向における距離が略均等になるように配置することが好ましい。
【００６２】
更に、外筒４９は内周面に、内筒４８の上流端を当接する当接片４９ａが設けてある。当接片４９ａは、図６に示すように、外筒４９と略同心の円環状に形成してあり、外筒４９の内周面から径内方向側に突出する。当接片４９ａは、外筒４９内に内筒４８を挿入して、凸部５０を凹部５１に嵌め合せた状態で、内筒４８の上流端が当接される。
【００６３】
このため、当接片４９ａは、内筒４８の外筒４９への挿通時に、凸部５０が溝部５２の前記反対側の一端側より下流側に移動しないように（内筒４８が挿通され過ぎないように）内筒４８の外筒４９への挿通範囲を規定している。これによって、第２アダプター４７は、内筒４８と外筒４９との嵌め合わせを行い易くすることができる。
【００６４】
また、第２アダプター４７内には、図７に示すように、異物の流通を抑制するフィルター５４が設けてある。フィルター５４は、内筒４８の内周に略同心で配置してある。フィルター５４は、内筒４８の軸方向において内筒４８の第１端４８ａ側（上流側）に位置する。そして、フィルター５４は、円盤形状のフィルター本体５５と、フィルター本体５５を保持する円環状の枠部材５６とで形成してある。
【００６５】
フィルター本体５５は、空気が流通可能で且つ異物を捕捉可能なもので形成してあり、例えば不織布等のメッシュ部材等で形成してある。枠部材５６は、板面に通気口を有した円盤状になっている。枠部材５６は、フィルター本体５５と略同心で、フィルター本体５５の上流側と下流側とに夫々配置される。そして、枠部材５６は、円盤の板面がフィルター本体５５の板面に当接されており、フィルター本体５５を間に介在して互いに固定してある。これによって、枠部材５６は、フィルター本体５５を保持している。
【００６６】
更に、第２アダプター４７は、フィルター５４を取付位置に保持する保持部４８ｂが、内筒４８に設けてある。保持部４８ｂは、内筒４８の内周面から内周側に突出して設けてある。保持部４８ｂは、内筒４８と略同心の円環状になっている。保持部４８ｂは、内筒４８の第１端４８ａより下流側に位置する。
【００６７】
そして、保持部４８ｂは、内筒４８にフィルター５４を略同心で配置した際に、保持部４８ｂの上流側を向く端面に、下流側の枠部材５６の下流側を向く板面の外周縁が当接される。これによって、フィルター５４は、内筒４８内において、軸方向における取付位置が規定されて、内筒４８内に位置決め保持される。
【００６８】
機器本体４１は、収納部８の凹所８ａに配置される。機器本体４１は、凹所８ａの左右方向の略中央に位置して、後板６に固定してある。そして、機器本体４１は、正面視矩形状で左右方向に長尺な箱型の外殻４１ａを有する。
【００６９】
外殻４１ａは、図８に示すように、左右方向の一側面（本例では右端面）に、貫通孔が設けてある。そして、この右端面には内筒４８の第２端が固定してあり、前記貫通孔と内筒４８内部とが連通接続している。更に、外殻４１ａは、前記一側面とは反対側の一側面（本例では左端面）に、貫通孔が設けてある。
【００７０】
そして、機器本体４１の内部には、前記貫通孔の両方に連通した通風路６０が設けてある。通風路６０は、前記右端面の貫通孔が上流端６０ａになっており、前記左端面の貫通孔が下流端６０ｂになっている。そして、機器本体４１は、上流端６０ａに内筒４８の前記第２端が固定してあり、内筒４８と通風路６０とが連通する。
【００７１】
また、機器本体４１の内部には、吸引部６２と、脱臭部６３と、吸引部の作動を制御する制御部６１とがさらに設けてある。吸引部６２は、例えば吸引ファン等を備える。そして、吸引部６２は、少なくとも前記吸引ファンが通風路６０に配置される。脱臭部６３は、例えば光触媒フィルター及び活性炭フィルター等を備える。脱臭部６３は、少なくとも前記光触媒フィルター及び前記活性炭フィルターが通風路６０に配置される。そして、脱臭部６３（前記光触媒フィルター及び前記活性炭フィルター）は、例えば吸引部６２（吸引ファン）より下流側に配置される。
【００７２】
このため、機器本体４１は、吸引ファン（吸引部６２）を作動させることで、内筒４８（接続部材４２）から通風路６０に空気を吸入した後、この空気を機器本体４１外（収納部８内の汚物受け１４より外方の空間）に排出する。このとき、機器本体４１は、前記空気を通風路６０内で脱臭部６３に流通させることで、例えばこの空気中の臭い成分等を低減や除去する等で、この空気の脱臭を行うことができる。
【００７３】
言い換えると、脱臭器４０は、吸引部６２を作動させることで、汚物受け１４内の臭気（空気）を便座受け３３の開口部１８から接続部材４２を介して機器本体４１に吸引する。このとき、接続部材４２は、第１アダプター４３（アダプター４３）、接続管４６、第２アダプター４７の順番で前記臭気が流通する。そして、脱臭器４０は、この吸引した臭気を脱臭部６３に流通させて前記脱臭を行った後、脱臭した前記臭気（臭い成分を低減・除去した空気）を機器本体４１外に排出する。
【００７４】
また、脱臭器４０は、臭気センサ６４を備える。臭気センサ６４は、図４に示すように、例えば便座受け３３の開口部１８近傍に設けられる。臭気センサ６４は、開口部１８周辺の臭気を検知して、その検知結果を制御部６１に出力する。制御部６１は、この検知結果が所定の条件を満たす場合に、前記脱臭を行う（開始する）ように吸引部６２を制御する。そして、制御部６１は、前記所定の条件を満たさなくなる（前記脱臭が完了する）と、前記脱臭を終了させるように吸引部６２を制御する。
【００７５】
このように、可搬便器１は、着座した使用者の体重、防汚トレイ１７及び便座１１の重量、前記便容器内の水等の使用時の重量によって、防汚トレイ１７を第１アダプター４３や天板７に押し付けることができる。このため、可搬便器１は、前記使用時に、第１アダプター４３の端縁と防汚トレイ１７の裏面側における開口部１８の縁部との間を気密状態にして、第１アダプター４３と開口部１８とを連通した状態にし易くすることができる。言い換えると、可搬便器１は、脱臭器４０を開口部１８に気密状態で連通接続し易くすることができて、例えば開口部１８の縁部と第１アダプター４３との間等の開口部１８以外からの空気の流入を生じ難くすることができる。
【００７６】
これによって、可搬便器１は、脱臭器４０による臭気の吸入を安定して行い易くなり、例えば開口部１８からの吸入量の低下等での脱臭器４０の性能低下を抑制することができる。そして、可搬便器１は、臭気センサ６４を備えたことで、使用者が脱臭器４０を操作しなくても、前記脱臭の開始・停止等を切り替えることができて、可搬便器１を利用し易くすることができる。
【００７７】
また、可搬便器１は、第１アダプター４３を防汚トレイ１７（汚物受け１４）に対して非固定としたことで、接続部材４２を伴わずに防汚容器１５や汚物受け１４を便器外殻３から取り外したり取り付けたりすることができる。このため、可搬便器１は、防汚トレイ１７の便器外殻３に対する脱着時における接続部材４２の便器外殻３や防汚トレイ１７への干渉や、接続部材４２による防汚トレイ１７清掃の妨害等を生じ難くすることができる。これによって、可搬便器１は、前記脱着や清掃等のメンテナンスにおける作業を行い易くすることができる。
【００７８】
更に、可搬便器１は、接続部材４２から分離した状態で防汚容器１５を清掃することができる。このため、可搬便器１は、洗浄時等に洗浄水の接続部材４２への流入を防止することができる。これによって、可搬便器１は、この洗浄水等の接続部材４２への残留による脱臭器４０の性能低下を抑制することができる。
【００７９】
また、可搬便器１は、第１アダプター４３の端縁と開口部１８の縁部との間に前記気密部材を介在させたことで、前記間に気密状態を生じ易くすることができる。これによって、可搬便器１は、脱臭器４０と開口部１８とを、気密状態で連通接続し易くすることができる。
【００８０】
また、可搬便器１は、位置決め部によって収納部８に対する防汚トレイ１７の取付位置を規定したことで、防汚トレイ１７を収納部８に取り付ける際に、開口部１８の縁部に第１アダプター４３の端縁を当接し易くすることができる。これによって、可搬便器１は、脱臭器４０と開口部１８とを気密状態で連通接続し易くすることができる。
【００８１】
また、可搬便器１は、内筒４８にフィルター５４用の保持部６０を設けたことで、内筒４８内にフィルター５４を配置・保持した状態で、外筒４９と内筒４８とを嵌め合せることができる。これによって、可搬便器１は、接続部材４２内にフィルター５４を配置し易くすることができて、メンテナンス等の作業を行い易くすることができる。
【００８２】
そして、可搬便器１は、接続部材４２を汚物受け１４に非固定としたことで、汚物受け１４を容易に取り除ける等で、フィルター５４の脱着時に、汚物受け１４を干渉し難くすることができる。これによって、可搬便器１は、フィルター５４の交換や清掃等のメンテナンスを行い易くすることができる。
【００８３】
なお、本発明は、実施形態の構成のみに限定されるものではなく、本発明の意図する範囲内であれば、適宜の設計変更を行うことが可能である。
【符号の説明】
【００８４】
１  可搬便器
２  便器本体
３  便器外殻
７  天板
７ａ  後辺部
７１  間隙
８  収納部
１４  汚物受け
１５  防汚容器
１７  防汚トレイ
１７ａ  後辺部
１８  開口部
２０  脚部
２３  背もたれ
２７  肘掛け
３１  載置部
３２  壁部
３３  便座受け
３５  突起
３６  穴
４０  脱臭器
４１  機器本体
４２  接続部材
４３  第１アダプター（アダプター）
４６  接続管
４７  第２アダプター
４８  内筒
４８ｂ  保持部
４９  外筒
５０  凸部
５１  凹部
５２  溝部
５４  フィルター
【図１】
2014064601.tif 000003
【図２】
2014064601.tif 000004
【図３】
2014064601.tif 000005
【図４】
2014064601.tif 000006
【図５】
2014064601.tif 000007
【図６】
2014064601.tif 000008
【図７】
2014064601.tif 000009
【図８】
2014064601.tif 000010